(57)【要約】【課題】  水中ミキサを含む複数の水中機械を同一の昇降用ガイド棒を用いて設置する。【解決手段】  水処理設備は、ガイド棒３の下部に設置された第１水中ミキサ１１と、ガイド棒３の中間部に設置された第２水中ミキサ１２とを備えている。水槽２の天井２ａの開口部２ｂには、鉛直軸回りに回転自在なアーム３５が取り付けられている。アーム３５の先端には、フック４１が固定されている。フック４１は、アーム３５が回転することによって、平面視における開口部２ｂの内側と外側との間を移動する。吊り下げ用のチェーン２１の上側は右側のフック４１に取り付けられ、電源ケーブル２３は左側のフック４１に取り付けられている。チェーン２１及び電源ケーブル２３は、第２水中ミキサ１２を避けるように、第１水中ミキサ１１の各取付部から第２水中ミキサ１２の外面に向かって延ばした接線２５，２６よりも外側に配置されている。【選択図】  図２
2006167530.tif 000002
【特許請求の範囲】
【請求項１】
水槽と、
前記水槽内に設けられ、上下方向に延びるガイド棒と、
前記ガイド棒に係合し且つ前記ガイド棒に沿って上下移動自在なガイド部材を有し、前記水槽内に設置された水中機械と、
前記ガイド棒に係合し且つ前記ガイド棒に沿って上下移動自在なガイド部材を有し、前記水槽内における前記水中機械よりも上方に設置された水中ミキサと、
前記水中機械に取り付けられ、前記水中機械から上方に延びる線状部材と、
前記水槽の上側で前記線状部材の上側部分を支持する支持具であって、前記線状部材を鉛直方向から傾斜させることによって、前記水中機械の前記線状部材の取付部から前記水中ミキサの外面に向かって延ばした接線よりも外側に前記線状部材を位置づける支持具と、
を備えた水処理設備。
【請求項２】
前記線状部材として、前記水中機械を吊り下げる吊り下げ部材と、前記水中機械用の電源ケーブルとを備え、
前記支持具として、前記吊り下げ部材の上側部分を支持する第１支持具と、前記電源ケーブルが前記水中ミキサを挟んで前記吊り下げ部材と反対側に位置するように前記電源ケーブルの上側部分を支持する第２支持具とを備えた、請求項１に記載の水処理設備。
【請求項３】
前記ガイド棒の上方に位置する開口部が形成され、前記水槽の上方を覆う天井と、
平面視において前記支持具を前記開口部の内側と外側との間で移動させる移動機構と、を備えた請求項１又は２に記載の水処理設備。
【請求項４】
前記移動機構は、前記支持具が設けられ且つ鉛直軸回りに回転自在なアームを備えている請求項３に記載の水処理設備。
【請求項５】
前記水中ミキサの吸い込み側に、前記線状部材の巻き込みを防止するカバーが設けられている、請求項１〜４のいずれか一つに記載の水処理設備。
【発明の詳細な説明】
【技術分野】
【０００１】
本発明は、水槽内に水中ミキサが設置されてなる水処理設備に関するものである。
【背景技術】
【０００２】
従来から、例えば下水処理場や貯水場等において、水槽と、水槽内に設置された水中ミキサとを備えた水処理設備が用いられている。
【０００３】
水中ミキサは重量の大きな機械であり、いわゆる重量物である。そのため、水中ミキサを水槽内に設置する際には、通常、水中ミキサに吊り下げチェーン等を取り付け、このチェーン等を使って水中ミキサを水槽内に吊り下げる。ところが、吊り下げの際に水中ミキサが揺動すると、設置作業を迅速且つ正確に行うことが難しくなり、また、水中ミキサを水槽内の適切な位置に設置することが困難となる。
【０００４】
そこで、水槽内に水中ミキサの昇降を案内するガイド棒を設け、このガイド棒に沿って水中ミキサを吊り下げることが提案されている（例えば、特許文献１参照）。
【特許文献１】特開２００２−３４６３５９号公報
【発明の開示】
【発明が解決しようとする課題】
【０００５】
ところで、水槽の深い水処理設備などでは、１台の水中ミキサのみでは、水槽の深部から浅い部分までの広範囲にわたって貯留水を良好に攪拌することは困難である。そのため、上下方向に複数台の水中ミキサを配置しなければ、水槽の全体にわたって貯留水を十分に攪拌することは難しい。
【０００６】
ところが、複数の水中ミキサ毎にガイド棒を設けることとすると、ガイド棒の設置に多くの手間と費用とが必要となる。一方、ガイド棒の本数を低減するために、１本のガイド棒を複数の水中ミキサで共用しようとすると、以下のような課題があった。
【０００７】
水中ミキサを水槽内で使用しようとすると、上述の吊り下げチェーン等や電源ケーブルなどを水中ミキサから水槽の上側にまで引き延ばすことが必要である。ところが、複数の水中ミキサを同一のガイド棒を用いて設置しようとすると、下側の水中ミキサを設置した後、上側の水中ミキサを設置する際に、下側の水中ミキサの吊り下げチェーン等や電源ケーブルが、上側の水中ミキサと干渉することとなる。そのため、上側の水中ミキサの攪拌動作によって、下側の水中ミキサの吊り下げチェーン等が振動し、上側の水中ミキサに頻繁に衝突するおそれがあった。また、場合によっては、下側の水中ミキサの吊り下げチェーン等が上側の水中ミキサに吸い込まれるおそれがあった。その結果、吊り下げチェーン等の摩耗や破損、あるいは水中ミキサの損傷などを招く可能性があった。したがって、従来は、１本のガイド棒を複数の水中ミキサで共用することは行われていなかった。
【０００８】
本発明は、かかる点に鑑みてなされたものであり、その目的とするところは、水中ミキサを含む複数の水中機械を、同一のガイド棒を利用して設置することを可能とすることにある。
【課題を解決するための手段】
【０００９】
本発明に係る水処理設備は、水槽と、前記水槽内に設けられ、上下方向に延びるガイド棒と、前記ガイド棒に係合し且つ前記ガイド棒に沿って上下移動自在なガイド部材を有し、前記水槽内に設置された水中機械と、前記ガイド棒に係合し且つ前記ガイド棒に沿って上下移動自在なガイド部材を有し、前記水槽内における前記水中機械よりも上方に設置された水中ミキサと、前記水中機械に取り付けられ、前記水中機械から上方に延びる線状部材と、前記水槽の上側で前記線状部材の上側部分を支持する支持具であって、前記線状部材を鉛直方向から傾斜させることによって、前記水中機械の前記線状部材の取付部から前記水中ミキサの外面に向かって延ばした接線よりも外側に前記線状部材を位置づける支持具と、を備えたものである。
【００１０】
なお、線状部材には、例えば、水中機械を吊り下げるためのチェーン、ワイヤ、ロープなどの吊り下げ部材の他、水中機械に電力を供給する電源ケーブル等が含まれる。
【００１１】
上記水処理設備によれば、水中機械の線状部材は、水中ミキサを避けるように斜め上方に向かって延びることになる。そのため、線状部材は水中ミキサの攪拌動作の影響を受けにくくなるので、線状部材などの破損等を防止することができる。また、線状部材が水中ミキサに吸い込まれることを未然に防止することができる。したがって、水中ミキサと１又は２以上の水中機械とを同一のガイド棒を利用して設置することが可能となる。
【００１２】
前記水処理設備は、前記線状部材として、前記水中機械を吊り下げる吊り下げ部材と、前記水中機械用の電源ケーブルとを備え、前記支持具として、前記吊り下げ部材の上側部分を支持する第１支持具と、前記電源ケーブルが前記水中ミキサを挟んで前記吊り下げ部材と反対側に位置するように前記電源ケーブルの上側部分を支持する第２支持具とを備えていてもよい。
【００１３】
このことにより、水中機械の吊り下げ部材及び電源ケーブルは、いずれも水中ミキサを避けるように配置されると共に、互いに水中ミキサを挟んで反対側に配置される。そのため、水中ミキサの攪拌動作に伴って吊り下げ部材と電源ケーブルとが頻繁に衝突することを確実に防止することができる。したがって、吊り下げ部材及び電源ケーブルの破損をより確実に防止することができる。
【００１４】
前記水処理設備は、前記ガイド棒の上方に位置する開口部が形成され、前記水槽の上方を覆う天井と、平面視において前記支持具を前記開口部の内側と外側との間で移動させる移動機構と、を備えていることが好ましい。
【００１５】
水槽が天井によって覆われている水処理設備では、開口部の開口面積が十分に大きくない場合には、前記支持具を開口部の内側に配置したのでは、前記線状部材を十分に傾斜させること（すなわち、水中ミキサを避ける程度まで傾斜させること）が困難な場合がある。しかしながら、上記水処理設備によれば、支持具を開口部の外側に移動させる移動機構を備えているので、ガイド棒を利用して水中機械を設置した後、支持具を開口部の外側に移動させることにより、水中ミキサを避けるように線状部材を十分に傾斜させることが可能となる。
【００１６】
前記移動機構は、前記支持具が設けられ且つ鉛直軸回りに回転自在なアームを備えていることが好ましい。
【００１７】
このことにより、移動機構の構成を簡単化することができる。
【００１８】
前記水中ミキサの吸い込み側に、前記線状部材の巻き込みを防止するカバーが設けられていることが好ましい。
【００１９】
このことにより、線状部材の巻き込みが一層確実に防止される。
【発明の効果】
【００２０】
以上のように、本発明によれば、水中機械の線状部材と水中ミキサとの干渉を防止することができるので、同一のガイド棒を利用して、水槽内に水中機械と水中ミキサとを上下に設置することが可能となる。
【発明を実施するための最良の形態】
【００２１】
以下、本発明の実施形態を図面に基づいて詳細に説明する。
【００２２】
図１に示すように、実施形態に係る水処理設備１は、貯留水Ｗを貯留する水槽２と、水槽２内に設置された第１水中ミキサ１１及び第２水中ミキサ１２とを備えている。水槽２の上方は天井２ａによって覆われており、天井２ａには開口部２ｂが形成されている。
【００２３】
水槽２内における開口部２ｂの下方には、上下に延びるガイド棒３が設けられている。ガイド棒３の上側は水面よりも上方に延び、ガイド棒３の上端部は開口部２ｂの内周壁に支持されている。ガイド棒３の下端部は、水槽２の底壁に支持されている。水槽２の側壁には、側方に延びる複数の支持棒４が固定されており、ガイド棒３はそれら支持棒４によっても支持されている。そして、ガイド棒３は、各支持箇所において、所定範囲内の鉛直軸回りの回転が自在に支持されている。ガイド棒３の上端には、ガイド棒３を回転させるレバー５が設けられている。図５に示すように、ガイド棒３は、断面が矩形状の中空棒によって形成されている。ただし、ガイド棒３は中実棒であってもよく、ガイド棒３の断面形状は矩形状以外の形状（例えば、円、楕円、菱形等）であってもよい。
【００２４】
第１水中ミキサ１１は水槽２の底部付近に設置され、第２水中ミキサ１２は水槽２の上下方向の略中間位置に設置されている。ただし、第２水中ミキサ１２が第１水中ミキサ１１の上方に設置されている限り、これら水中ミキサ１１，１２の上下位置は特に限定されるものではない。本実施形態では、第１水中ミキサ１１と第２水中ミキサ１２とは同一仕様の水中ミキサである。ただし、第１水中ミキサ１１と第２水中ミキサ１２とは、異なる仕様の水中ミキサであってもよい。以下では、第２水中ミキサ１２の構成のみを説明し、第１水中ミキサ１１の構成の説明は省略する。
【００２５】
図６に示すように、水中ミキサ１２は、水中モータを内蔵したミキサ本体１３と、水中モータに連結された羽根車１４（図２参照）と、羽根車１４の周囲を覆うベルマウス状のケーシング１５とを備えている。水中ミキサ１２はいわゆる横型の軸流式ミキサであり、羽根車１４はミキサ本体１３側からケーシング１５に向かって水を吸い込み、ケーシング１５から略水平方向（図６の右方向）に水を吐出する。
【００２６】
水中ミキサ１２における羽根車１４と反対側の端部には、ガイド棒３と係合するガイド部材３１が取り付けられている。図５に示すように、ガイド部材３１は断面が略コ字状に形成され、ガイド部材３１の後側（コ字状に開いた側であって、図５の上側）には、左右一対のガイドローラ３９がボルト３８とナットとによって固定されている。左右一対のガイドローラ３９は、ガイド部材３１の上端側及び下端側にそれぞれ設けられている（図６の上下のボルト３８参照）。ガイド部材３１はガイド棒３に沿って水中ミキサ１２の昇降を案内する部材であり、水中ミキサ１２の昇降に伴って、ガイドローラ３９はガイド棒３上を転がっていく。ただし、ガイド部材３１の構成は何ら限定されない。例えば、ガイド部材３１は、ガイド棒３の表面上を摺動することによって水中ミキサ１２の昇降を案内するものであってもよい。
【００２７】
また、図６に示すように、水中ミキサ１２のガイド部材３１側には、水中モータに電力を供給する電源ケーブル１８が接続されている。電源ケーブル１８はミキサ本体１３から上方に延びており、接続部１９を介して電源ケーブル２４に接続されている。
【００２８】
ミキサ本体１３の上側には、ミキサ本体１３の長手方向に延びる取付板１６が設けられている。取付板１６には、長手方向に並ぶ複数の取付穴１７が形成されている。取付穴１７は吊り下げ用のチェーン２２を取り付けるものであり、本実施形態では、チェーン２２は中央部の取付穴１７に取り付けられている。
【００２９】
図３に示すように、開口部２ｂの一方の内周壁には、金属製の支持板３６がアンカーボルト等によって固定されている。図５に示すように、支持板３６の中央部には、前方（図５の下方）に延びるブラケット３２が支持されている。図３に示すように、ブラケット３２にはブラケット３０が鉛直軸回りに回転自在に取り付けられ、ブラケット３０にはガイド棒３が固定されている。
【００３０】
図４に示すように、支持板３６の左右両端部にはフック４２が固定されている。右側のフック４２には、第２水中ミキサ１２から延びるチェーン２２が取り付けられている。したがって、右側のフック４２は、チェーン２２を介して第２水中ミキサ１２を吊り下げ支持している。一方、左側のフック４２には、第２水中ミキサ１２から延びる電源ケーブル２４が取り付けられている。左側のフック４２は、電源ケーブル２４を支持することによって、水槽２内における電源ケーブル２４のたるみを防止している。
【００３１】
図５に示すように、開口部２ｂの内周壁のうち、支持板３６が設けられている内周壁と直交する２つの内周壁には、支持板３７がアンカーボルト等によって固定されている。図４に示すように、支持板３７には、上下に延びる円筒状のブラケット３３が固定されている。ブラケット３３の内部には回転軸３４が挿通され、回転軸３４の下端部には、水平方向に延びるアーム３５が固定されている。回転軸３４の上端部はブラケット３３の内径以上の大径部となっており、この大径部はブラケット３３の上端に支持されている。これにより、アーム３５は、回転軸３４を介してブラケット３３に回転自在に支持されている。
【００３２】
アーム３５の先端側には、フック４１が固定されている。右側のアーム３５のフック４１には、第１水中ミキサ１１から延びるチェーン２１が取り付けられている。一方、左側のアーム３５のフック４１には、第１水中ミキサ１１から延びる電源ケーブル２３が取り付けられている。
【００３３】
図５に示すように、アーム３５は回転軸３４によって鉛直軸回りの回転が自在である。アーム３５を回転させることによって、フック４１は、平面視における開口部２ｂの内側と外側とを移動する。したがって、アーム３５は、フック４１を移動させる移動機構４５を構成している。詳細は後述するが、第１水中ミキサ１１を設置する際には、アーム３５は第１水中ミキサ１１の長手方向と平行となり、フック４１は開口部２ｂの内側に位置づけられる（図５の実線参照）。一方、第１水中ミキサ１１を設置した後、第２水中ミキサ１２を設置する際には、アーム３５は外側に向かって９０度回転させられ、第１水中ミキサ１１の長手方向と直交する方向に延びた状態となる（図５の二点鎖線参照）。この状態では、フック４１は開口部２ｂの外側に位置づけられる。
【００３４】
ここで、アーム３５を回転させる方法は特に限定されない。例えば、回転軸３４の大径部を六角形状に形成しておき、スパナ等でこの大径部を狭持してトルクを与えることによって、アーム３５を回転させるようにしてもよい。なお、移動機構４５に、回転後のアーム３５の位置を固定する固定具を設けておくことが好ましい。例えば、ブラケット３３及び回転軸３４に半径方向に延びる穴を形成しておき、固定ピンをそれらの穴に挿通させることによって、アーム３５の回転位置を固定するようにしてもよい。
【００３５】
なお、アーム３５の形状は何ら限定されるものではない。アーム３５は、例えば、角柱からなっていてもよく、円柱からなっていてもよい。また、アーム３５は中実棒であってもよく、中空棒であってもよい。フック４１，４２の形状も何ら限定されるものではない。
【００３６】
図２に示すように、右側のフック４１は、第１水中ミキサ１１のチェーン２１を鉛直方向から傾斜した状態で支持している。その結果、チェーン２１は、第１水中ミキサ１１のチェーン２１の取付部（すなわち、第１水中ミキサ１１の取付板１６の取付穴１７）から第２水中ミキサ１２の外面に向かって延ばした接線２５よりも外側（傾斜の度合いが大きい側）に位置している。言い換えると、チェーン２１は、第２水中ミキサ１２を避けるように傾斜した状態に支持されている。
【００３７】
同様に、左側のフック４１は、第１水中ミキサ１１の電源ケーブル２３を鉛直方向から傾斜した状態で支持している。その結果、電源ケーブル２３は、第１水中ミキサ１１の電源ケーブル２３の取付部から第２水中ミキサ１２の外面に向かって延ばした接線２６よりも外側に位置している。すなわち、電源ケーブル２３は、第２水中ミキサ１２を避けるように傾斜した状態に支持されている。また、電源ケーブル２３は、第２水中ミキサ１２を挟んでチェーン２１と反対側に配置されている。
【００３８】
次に、第１水中ミキサ１１及び第２水中ミキサ１２の設置方法について説明する。
【００３９】
始めに、第１水中ミキサ１１を設置する。第１水中ミキサ１１の設置に際しては、まず、図５に示すように、フック４１が開口部２ｂの内側に位置するようにアーム３５を内側に回転させる。次に、第１水中ミキサ１１のガイド部材３１をガイド棒３に係合させ、チェーン２１を用いて第１水中ミキサ１１をガイド棒３に沿って吊り下げる。その後、第１水中ミキサ１１が水槽２の底部近傍の所定位置にまで達すると、チェーン２１を右側のアーム３５のフック４１に引っかけ、電源ケーブル２３を左側のアーム３５のフック４１に引っかける。そして、両アーム３５を外側に９０度回転させ、フック４１を開口部２ｂの外側に移動させる。
【００４０】
次に、第２水中ミキサ１２を設置する。第２水中ミキサ１２の設置に際しては、まず、第２水中ミキサ１２のガイド部材３１をガイド棒３に係合させ、チェーン２２を用いて第２水中ミキサ１２をガイド棒３に沿って吊り下げる。そして、第２水中ミキサ１２が水槽２の上下方向中央部の所定位置にまで達すると、チェーン２２を右側のフック４２に引っかけ、第２水中ミキサ１２をその位置にて支持する。また、電源ケーブル２４を左側のフック４２に引っかける。以上により、第１水中ミキサ１１及び第２水中ミキサ１２の設置が完了する。
【００４１】
なお、メンテナンス等の際には、上記とは逆の順序で第１水中ミキサ１１及び第２水中ミキサ１２を水槽２から引き上げる。
【００４２】
以上のように、本実施形態に係る水処理設備１によれば、第１水中ミキサ１１のチェーン２１及び電源ケーブル２３は、いずれも第２水中ミキサ１２を避けるように斜めに配置されている。したがって、チェーン２１及び電源ケーブル２３が第２水中ミキサ１２の攪拌動作の影響を受けるおそれは少ない。そのため、チェーン２１及び電源ケーブル２３が水中ミキサ１２に頻繁に衝突することや、水中ミキサ１２に巻き込まれることなどを防止することができる。よって、本水処理設備１によれば、チェーン２１、電源ケーブル２３、及び水中ミキサ１２の破損を未然に防止することができるので、同一のガイド棒３を用いて２台の水中ミキサ１１，１２を上下に設置することが可能となり、ガイド棒３の共用化を実現することができる。
【００４３】
また、チェーン２１と電源ケーブル２３とは、第２水中ミキサ１２を挟んで反対側に配置されており、互いに隔てられている。そのため、第２水中ミキサ１２の攪拌動作に伴ってチェーン２１と電源ケーブル２３とが頻繁に衝突することを確実に防止することができる。したがって、電源ケーブル２３がチェーン２１によって損傷することが回避されるなど、チェーン２１及び電源ケーブル２３の破損を未然に防止することができる。
【００４４】
本水処理設備１では、水槽２は天井２ａによって覆われているが、フック４１を平面視における開口部２ｂの内側と外側との間で移動させる移動機構４５が設けられているので、天井２ａに邪魔されることなくフック４１をガイド棒３から十分に離れた位置にまで移動させることができる。そのため、フック４１を開口部２ｂの内側に移動させることによって、ガイド棒３を利用して第１水中ミキサ１１を容易に設置することができる。一方、フック４１を開口部２ｂの外側に移動させることにより、第１水中ミキサ１１のチェーン２１及び電源ケーブル２３を鉛直方向から十分に傾斜させることができ、チェーン２１及び電源ケーブル２３を第２水中ミキサ１２から十分に離すことができる。
【００４５】
本実施形態では、フック４１を移動させる移動機構４５は、鉛直軸回りに回転自在なアーム３５によって構成されている。そのため、移動機構４５の構成の簡単化を図ることができる。
【００４６】
なお、チェーン２１及び電源ケーブル２３の損傷又は第２水中ミキサ１２の破損を確実に防止するために、第２水中ミキサ１２の吸い込み側の一部又は全部にカバーを設けるようにしてもよい。例えば、図６に二点鎖線で示すように、ケーシング１５の吸い込み側に、ミキサ本体１３の下側部分を覆うカバー５０を設けるようにしてもよい。これにより、チェーン２１、電源ケーブル２３、又は第２水中ミキサ１２の損傷をより一層確実に防止することができる。
【００４７】
本実施形態では、フック４１を移動させる移動機構４５は、フック４１が固定されたアーム３５を回転させるいわゆる回転式の移動機構であった。しかしながら、移動機構４５の構成は何ら限定されるものではない。例えば、移動機構４５は、フック４１が固定されたアーム等をスライドさせるいわゆるスライド式の移動機構であってもよく、フック４１が固定された伸縮体を伸縮させるいわゆる伸縮式の移動機構であってもよい。また、本実施形態の移動機構４５は、アーム３５を水平面内で回転させるものであったが、アーム３５を鉛直面内等で回転させるものであってもよい。また、移動機構４５は、上述の移動機構を適宜組み合わせたものであってもよい。
【００４８】
上記実施形態では、水中ミキサ１２の下方に設置される水中機械は、水中ミキサ１１であった。しかしながら、水中ミキサ１２の下方に設置される水中機械は、水中ミキサ１１に限定されない。例えば、上記水中機械は、エアレータであってもよい。上記水中機械がエアレータの場合には、水中機械から上方に延びる線状部材には、チェーン及び電源ケーブルの他、エアホース又はエアチューブが必要となる。この場合には、水槽２の上側に、これら３本の線状部材（すなわち、チェーン、電源ケーブル、及びエアホース等）をそれぞれ取り付ける３本のフック４１を設ければよい。
【００４９】
上記実施形態では、ガイド棒３を用いて設置する水中機械は第１水中ミキサ１１及び第２水中ミキサ１２であり、上下に並べて設置する水中機械の台数は２台であった。しかしながら、同一のガイド棒３を用いて３台以上の水中機械を設置してもよいことは勿論である。この場合、水中機械の台数に応じた数のフックを設け、各水中機械の線状部材を、当該水中機械よりも一つ上の水中機械を避けるように傾斜させればよい。具体的には、当該水中機械の線状部材を、当該水中機械の線状部材の取付部から当該水中機械よりも一つ上の水中機械の外面に向かって延ばした接線よりも外側に配置すればよい。
【産業上の利用可能性】
【００５０】
以上説明したように、本発明は、水槽内に水中ミキサが設置されてなる水処理設備について有用である。
【図面の簡単な説明】
【００５１】
【図１】実施形態に係る水処理設備の断面図である。
【図２】水処理設備の主要部の正面図である。
【図３】水処理設備の主要部の拡大側面図である。
【図４】水処理設備の主要部の拡大正面図である。
【図５】水処理設備の主要部の平面図である。
【図６】水中ミキサの側面図である。
【符号の説明】
【００５２】
１    水処理設備
２    水槽
２ａ  天井
２ｂ  開口部
３    ガイド棒
１１  第１水中ミキサ（水中機械）
１２  第２水中ミキサ（水中ミキサ）
２１  チェーン（線状部材，吊り下げ部材）
２３  電源ケーブル（線状部材）
３１  ガイド部材
３５  アーム
４１  フック（支持具）
４５  移動機構
５０  カバー
【図１】
2006167530.tif 000003
【図２】
2006167530.tif 000004
【図３】
2006167530.tif 000005
【図４】
2006167530.tif 000006
【図５】
2006167530.tif 000007
【図６】
2006167530.tif 000008